(57)【要約】      （修正有）【課題】駆動機構と着脱可能とするために中間ロッドを使用したスライディングノズル装置において、プレートの交換時に中間ロッドが脱落しないようにする装置を提供する。【解決手段】溶融金属容器１の底部に固定された固定金枠２と、固定金枠に開閉可能に連結された開閉金枠３と、開閉金枠に摺動可能に配置された摺動金枠４と、中間ロッド１０とを備え、中間ロッドの一端１０ａが摺動金枠に着脱可能に装着され、中間ロッドの他端１０ｂが摺動金枠を摺動させるための駆動機構１１に着脱可能に装着されるスライディングノズル装置において、中間ロッドに、当該中間ロッドを支持する中間ロッド支持具と係合可能な係合部１０ｃを設けた。【選択図】図１
2011212704.tif 000002
【特許請求の範囲】
【請求項１】
溶融金属容器の底部に固定された固定金枠と、固定金枠に開閉可能に連結された開閉金枠と、開閉金枠に摺動可能に配置された摺動金枠と、中間ロッドとを備え、中間ロッドの一端が摺動金枠に着脱可能に装着され、中間ロッドの他端が摺動金枠を摺動させるための駆動機構に着脱可能に装着されるスライディングノズル装置において、
中間ロッドに、当該中間ロッドを支持する中間ロッド支持具と係合可能な係合部を設けたことを特徴とするスライディングノズル装置。
【請求項２】
中間ロッドの係合部が、当該中間ロッドの軸方向に移動可能に設けられた請求項１に記載のスライディングノズル装置。
【発明の詳細な説明】
【技術分野】
【０００１】
本発明は、スライディングノズル装置（以下「ＳＮ装置」という。）に関する。
【背景技術】
【０００２】
ＳＮ装置は、溶融金属の流量制御を正確に行うことができるという利点を有することから、取鍋やタンディッシュなどの溶融金属容器で広く利用されている。ＳＮ装置は、溶融金属容器の底部に固定された固定金枠と、固定金枠に開閉可能に連結された開閉金枠と、開閉金枠に摺動可能に配置された摺動金枠とを備え、これらの金枠に２枚又は３枚のプレートを装着し、プレート間に面圧を負荷した後、摺動金枠を油圧シリンダーなどの駆動機構で摺動させることによって、注湯時の溶融金属の流量制御を行う（例えば特許文献１参照）。
【０００３】
従来、ＳＮ装置と駆動機構は、溶融金属容器に固定されていた。このため、溶融金属容器を真空処理槽に入れて、溶融金属に真空脱ガス処理を行う場合、溶融金属容器に固定された駆動機構が真空処理槽内で高温にさらされ、その後、駆動機構にトラブルが発生する原因となっていた。そこで、着脱可能な駆動機構の採用が増えている。この場合、作業性や安全性などの理由で、溶融金属容器の底から突出した位置に駆動機構が設置される。そこで、継ぎ手となる中間ロッドを溶融金属容器に設け、この中間ロッドの一端を摺動金枠に着脱可能に装着し、他端を駆動機構に着脱可能に装着する。
【０００４】
ところで、ＳＮ装置では、定期的にプレートの交換を行う。このプレート交換作業は、溶融金属容器を傾転させて行うため、ＳＮ装置は、使用時の姿勢から９０°転回されてプレートが垂直に立つ姿勢とされる。なお、駆動機構は、作業の妨げとなるため、溶融金属容器を傾転させる前に取り外しておく。そして、プレートが垂直に立った姿勢で面圧を解除し、開閉金枠を開く。このとき、開閉金枠に保持されている摺動金枠も開く。このため、中間ロッドは、一端が摺動金枠から外れ、自重で下方に下がる（位置ズレ）。その結果、開閉金枠を閉じる際、摺動金枠に合わせて中間ロッドの位置を調整する作業が必要となり、中間ロッドの位置決め及び装着に手間がかかるという問題があった。特にプレートの交換は、ＳＮ装置を使用後、高温の状態で行うので、上述の作業は熱間での作業となり、作業者への負担が大きかった。
【先行技術文献】
【特許文献】
【０００５】
【特許文献１】国際公開０２／０９００１７号パンフレット
【発明の概要】
【発明が解決しようとする課題】
【０００６】
本発明が解決しようとする課題は、駆動機構と着脱可能とするために中間ロッドを使用したＳＮ装置において、プレートの交換時に中間ロッドが脱落しないようにすることにある。
【課題を解決するための手段】
【０００７】
本発明は、溶融金属容器の底部に固定された固定金枠と、固定金枠に開閉可能に連結された開閉金枠と、開閉金枠に摺動可能に配置された摺動金枠と、中間ロッドとを備え、中間ロッドの一端が摺動金枠に着脱可能に装着され、中間ロッドの他端が摺動金枠を摺動させるための駆動機構に着脱可能に装着されるスライディングノズル装置において、中間ロッドに、当該中間ロッドを支持する中間ロッド支持具と係合可能な係合部を設けたことを特徴とする。
【０００８】
本発明において中間ロッドの係合部は、当該中間ロッドの軸方向に移動可能に設けることが好ましい。
【発明の効果】
【０００９】
本発明では、プレートの交換時、中間ロッドの係合部に中間ロッド支持具を係合させることで中間ロッドの脱落を防止できる。
【００１０】
また、中間ロッドの係合部の軸方向に移動可能にしておけば、中間ロッドを中間ロッド支持具に支持させたときに、上下方向の位置がずれないように、中間ロッド支持具の位置に合わせて係合部を移動させることができる。したがって、プレートの交換後、開閉金枠及び摺動金枠を閉めるときに、中間ロッドの位置調整を行うことなく摺動金枠に再装着でき、作業の効率化及び負担軽減を図ることができる。
【図面の簡単な説明】
【００１１】
【図１】本発明のＳＮ装置の全体構成を示し、（ａ）は断面図、（ｂ）は底面図である。
【図２】図１のＳＮ装置で使用する中間ロッドの構成を示す分解斜視図である。
【図３】プレートを交換時の中間ロッド付近の状態を示し、（ａ）は中間ロッド支持具を装着する前の状態、（ｂ）は中間ロッド支持具を装着した状態を示す。
【図４】本発明の他の実施例を示し、（ａ）は中間ロッド支持具を装着する前の状態、（ｂ）は中間ロッド支持具を装着した状態を示す。
【発明を実施するための形態】
【００１２】
以下、図面に示す実施例に基づき本発明の実施の形態を説明する。
【００１３】
図１は、本発明のＳＮ装置の全体構成を示し、（ａ）は断面図、（ｂ）は底面図である。同図に示すＳＮ装置は、取鍋から排出される溶鋼の流量制御に使用されるもので、取鍋１の底部に固定された固定金枠２と、固定金枠２に開閉可能に連結された開閉金枠３と、開閉金枠３に摺動可能に配置された摺動金枠４とを備える。そして、固定金枠２には上プレート５が、摺動金枠４には摺動プレート６が、それぞれ配置されている。また、上プレート５には上ノズル７が接続され、下プレート６には下ノズル８を介してロングノズル９が接続され、上ノズル７が取鍋の羽口１ａに嵌め込まれている。
【００１４】
摺動金枠４には、中間ロッド１０を介して油圧シリンダー１１（駆動機構）が着脱可能に接続されている。すなわち、中間ロッド１０の一端の第１装着部１０ａが摺動金枠４に着脱可能に装着されると共に、他端の第２装着部１０ｂが油圧シリンダー１１のロッドに着脱可能に装着されている。中間ロッド１０は取鍋１の底部に固定された支持枠１２に摺動可能に支持されている。また、中間ロッド１０には、後述する中間ロッド支持具と係合可能な係合部１０ｃが設けられている。
【００１５】
中間ロッド１０の詳細な構成を図２の分解斜視図を参照して説明する。中間ロッドの一端側には雄ねじ部１０ｄが設けられており、この雄ねじ部１０ｄに係合部１０ｃを螺合する。これによって、中間ロッド１０に係合部１０ｃが、中間ロッド１０の軸方向に移動可能に設けられる。また、第１装着部１０ａは雄ねじ部１０ｄに螺合した後、止めボルト１０ｅで固定する。そして、この第１装着部１０ａが摺動プレート４の一端に設けた装着孔４ａに着脱可能に装着される。一方、中間ロッド１０の他端の第２装着部１０ｂは、油圧シリンダー１１のロッド先端に固定した継ぎ手１１ａに着脱可能に装着される。
【００１６】
なお、図２には、後述するプレートの交換時に中間ロッド１０の係合部１０ｃに係合して中間ロッド１０を支持する中間ロッド支持具１３も示している。
【００１７】
以上の構成において、使用時には各プレート間に面圧を負荷した状態で、摺動金枠４（下プレート６）を摺動させることにより、溶鋼の流量制御を行う。摺動金枠４の摺動は、中間ロッド１０を介して接続した油圧シリンダー１１の駆動によって行う。
【００１８】
使用後、プレートを交換する際は、中間ロッド１０の第２装着部１０から油圧シリンダー１１を取り外し、使用時の姿勢から９０°転回してプレートれんがが垂直に立つ姿勢とする。
【００１９】
このときの中間ロッド付近の状態を図３に拡大して示す。プレートの交換時には、この状態で面圧を解除し、開閉金枠を開く。これによって、摺動金枠４も開閉金枠と共に開く。そうすると、中間ロッド１０の第１装着部１０ａが摺動金枠４から外れる。
【００２０】
このままであると、中間ロッド１０が下方に脱落するので、本発明では、開閉金枠を開く前に、中間ロッド１０の係合部１０ｃに中間ロッド支持具１３の係止部１３ａが係合するように中間ロッド支持具１３を装着して支持枠１２上に置く（図３（ｂ）参照）。このとき、中間ロッド支持具１３の装着前後で中間ロッド１０の上下方向の位置が変わらないように、係合部１０ｃの上下方向の位置を予め調整しておく。
【００２１】
このように、中間ロッド１０の係合部１０ｃに中間ロッド支持具１３を係合して支持することにより、開閉金枠を開いたときに中間ロッド１０が下方に脱落することを防止できる。また、中間ロッド支持具１３によって中間ロッド１０の上下方向の位置が保たれるので、プレート交換後、開閉金枠及び摺動金枠を閉じれば、中間ロッド１０の第１装着部１０ａが摺動金枠４に再装着される。その後、中間ロッド支持具１３を取り外せば、もとの状態に戻る。
【００２２】
図４は本発明の他の実施例を示す。先の実施例では、プレートの交換時に９０°転回したときに中間ロッド１０の第２装着部１０ｂが下方に位置していたが、本実施例では上方に位置する。
【００２３】
本実施例では、支持枠１２の下面に支持部１２ａを設け、中間ロッド支持具１３の基部１３ｂを装着することで、中間ロッド支持具１３を吊り下げて支持できるようにしている。そして、開閉金枠を開く前に、中間ロッド支持具１３の基部１３ｂを支持部１２ａに装着すると共に、中間ロッド支持具１３の係止部１３ａを中間ロッド１０の係合部１０ｃに係合させることで、先の実施例と同様に中間ロッド１０の脱落を防止できる。なお、本実施例においても、中間ロッド支持具１３の装着前後で中間ロッド１０の上下方向の位置が変わらないように、係合部１０ｃの上下方向の位置を予め調整しておく。
【符号の説明】
【００２４】
１  取鍋（溶融金属容器）
１ａ  羽口
２  固定金枠
３  開閉金枠
４  摺動金枠
４ａ  装着孔
５  上プレート
６  摺動プレート
７  上ノズル
８  下ノズル
９  ロングノズル
１０  中間ロッド
１０ａ  第１装着部
１０ｂ  第２装着部
１０ｃ  係合部
１０ｄ  雄ねじ部
１０ｅ  止めボルト
１１  油圧シリンダー
１１ａ  継ぎ手
１２  支持枠
１２ａ  支持部
１３  中間ロッド支持具
１３ａ  係止部
１３ｂ  基部
【図１】
2011212704.tif 000003
【図２】
2011212704.tif 000004
【図３】
2011212704.tif 000005
【図４】
2011212704.tif 000006